(57)【特許請求の範囲】
【請求項１】
出力軸を有する内燃機関と、入力軸を有する変速機と、前記内燃機関と前記変速機との間に設けられ、流体を介して前記出力軸と前記入力軸との間で動力の伝達を行うトルクコンバータと、前記トルクコンバータに設けられ、前記出力軸と前記入力軸とを直結する係合状態および前記係合状態を解除する解放状態を切り替え可能なロックアップクラッチと、前記ロックアップクラッチと前記入力軸との間に設けられ、前記ロックアップクラッチと前記入力軸との間の捩れの角度に応じてばね定数の切り替りが生ずるよう複数の弾性部材からなるダンパとを備え、前記ロックアップクラッチが係合状態で前記内燃機関の機関トルクの変化に応じて前記捩れの角度が変化する車両に搭載される車両用制御装置であって、
前記ロックアップクラッチが係合状態とされ、かつ前記機関トルクが前記ダンパの前記ばね定数の切り替わりが生ずる前記機関トルクを含む予め定められた所定のトルク領域に含まれることとなったとき、前記機関トルクの単位時間当たりの変化量の絶対値を示すトルク勾配が予め定められた基準トルク勾配以上である場合には、前記車両が加速状態であるときに前記内燃機関の要求トルクが前記所定のトルク領域に含まれるときには、前記要求トルクを前記所定のトルク領域を上回る値に変更し、前記車両が減速状態であるときに前記内燃機関の要求トルクが前記所定のトルク領域に含まれる場合には、前記要求トルクを前記所定のトルク領域を下回る値に変更し、
前記ロックアップクラッチが係合状態とされ、かつ前記機関トルクが前記所定のトルク領域に含まれることとなったとき、前記トルク勾配が前記基準トルク勾配未満である場合には、前記ロックアップクラッチを前記解放状態にするとともに、前記車両が加速状態であるときには、前記要求トルクを前記所定のトルク領域を上回る値に変更し、前記車両が減速状態であるときには、前記要求トルクを前記所定のトルク領域を下回る値に変更することを特徴とする車両用制御装置。
【請求項２】
前記ロックアップクラッチが係合状態とされ、かつ前記機関トルクが前記所定のトルク領域にあるときに前記トルク勾配の反転が生じた場合には、前記トルク勾配の反転中は前記ロックアップクラッチを解放状態とすることを特徴とする請求項１に記載の車両用制御装置。
【発明の詳細な説明】
【技術分野】
【０００１】
本発明は、車両用制御装置に関し、特に、振動抑制用のダンパを有するロックアップクラッチを搭載した車両に用いられる車両用制御装置に関する。
【背景技術】
【０００２】
従来より、駆動源としてのエンジンと自動変速機との間にトルクコンバータを設けた車両が広く知られている。この種の車両では、エンジンと自動変速機とを一体的に連結、すなわち直結することができるロックアップクラッチをトルクコンバータに組み込むことが一般的に行われている。
【０００３】
ところで、ロックアップクラッチによってエンジンと自動変速機とを直結状態にした場合には、エンジンのトルク変動に伴う捩り振動が自動変速機に伝わり、ＮＶ（ノイズ・アンド・バイブレーション）が大きくなる懸念がある。このため、ロックアップクラッチによってエンジンと自動変速機とを直結したときに、エンジンのトルク変動に伴う捩り振動が自動変速機に伝達するのを抑制するために、通常、エンジンのトルク変動を吸収・減衰するダンパをロックアップクラッチに組み込んでいる。
【０００４】
近年、この種のダンパの中には、ばね定数の異なる複数のばねを組み合わせてダンパの捩り特性を複数の段階とするものもある。このようなダンパでは、例えば、エンジントルクが小さい場合には、ダンパの捩り角も小さく、ダンパにおけるばね定数は小さくなる。一方で、エンジントルクが大きい場合には、ダンパの捩り角が大きく、ダンパにおけるばね定数は大きくなる。これにより、エンジントルクの大きさに応じて効率よく振動を吸収・減衰させることができるという利点がある。
【０００５】
ところが、複数の段階の捩り特性を有するダンパを用いた車両においては、エンジントルクがダンパの捩れ角に応じてばね定数が切り替わる領域付近で増減すると、これに併せてダンパのばね定数が段階的に増減し得る。このため、ダンパを介して最終的に駆動輪に伝達されるトルクが急激に増減し、これが原因で車両の振動が発生する。また、このような振動は、特定のエンジン回転数範囲で現れることが知られている。これは、ばね定数が切り替わる領域付近のエンジントルクを出力し得るエンジン回転数が限られているからである。具体的には、このような振動が発生し得るエンジン回転数範囲は、低回転領域に限られる。また、ばね定数の切り替わりを生じさせるエンジントルクは、比較的高いトルク領域である。したがって、上記のような振動は、低回転・高負荷領域で発生するものである。以下、このような振動が発生する領域を振動発生領域という。
【０００６】
さらに、このような振動は、特にダンパのばね定数が切り替わる領域においてエンジンのトルク変動の周波数とダンパの共振周波数とが一致することより大きくなる場合がある。
【０００７】
従来、このような車両の振動を抑制するために、ロックアップクラッチの係合状態においてエンジン回転数が上述した特定のエンジン回転数範囲内にあるときには、ロックアップクラッチが解放状態である場合に比べてエンジントルクを低減するようエンジンを制御する車両用制御装置が知られている（例えば、特許文献１参照）。
【０００８】
この特許文献１に記載の車両用制御装置によれば、エンジントルクが上記振動発生領域に入らないようにすることができ、車両の振動を抑制することができる。
【先行技術文献】
【特許文献】
【０００９】
【特許文献１】特開２００８−２２３５３３号公報
【発明の概要】
【発明が解決しようとする課題】
【００１０】
しかしながら、上述した従来の車両用制御装置にあっては、エンジントルクが振動発生領域外となるようエンジントルクの上昇を制限するので、運転者のアクセル踏み込み量に応じた要求出力に見合うエンジントルクを発揮させることができない。このため、運転者の所望する加速感が得られず、運転者の要求に応じた車両の動力性能を発揮させることができないという問題があった。特に、近年では、自動変速機を搭載しつつも運転者が任意に変速段を変更可能な、いわゆるマニュアルモードを備えた車両も広く普及している。このような車両では、振動発生領域を含む低回転・高負荷領域でエンジンを運転させる機会が増加することから、上述のような問題が特に顕著となる。
【００１１】
また、車両の加速時に限らず、減速時においてもエンジントルクが振動発生領域に入ることがある。上述の従来の車両用制御装置では、減速時における振動抑制については何ら考慮されていない。
【００１２】
本発明は、上述のような問題を解決するためになされたもので、特定の振動発生領域における車両の振動を抑制しつつ、運転者が要求する車両の動力性能を確保することができる車両用制御装置を提供することを目的とする。
【課題を解決するための手段】
【００１３】
本発明に係る車両用制御装置は、上記目的達成のため、（１）出力軸を有する内燃機関と、入力軸を有する変速機と、前記内燃機関と前記変速機との間に設けられ、流体を介して前記出力軸と前記入力軸との間で動力の伝達を行うトルクコンバータと、前記トルクコンバータに設けられ、前記出力軸と前記入力軸とを直結する係合状態および前記係合状態を解除する解放状態を切り替え可能なロックアップクラッチと、前記ロックアップクラッチと前記入力軸との間に設けられ、前記ロックアップクラッチと前記入力軸との間の捩れの角度に応じてばね定数の切り替りが生ずるよう複数の弾性部材からなるダンパとを備え、前記ロックアップクラッチが係合状態で前記内燃機関の機関トルクの変化に応じて前記捩れの角度が変化する車両に搭載される車両用制御装置であって、前記ロックアップクラッチが係合状態とされ、かつ前記機関トルクが前記ダンパの前記ばね定数の切り替わりが生ずる前記機関トルクを含む予め定められた所定のトルク領域に含まれることとなったとき、前記機関トルクの単位時間当たりの変化量の絶対値を示すトルク勾配が予め定められた基準トルク勾配以上である場合には、前記車両が加速状態であるときに前記内燃機関の要求トルクが前記所定のトルク領域に含まれるときには、前記要求トルクを前記所定のトルク領域を上回る値に変更し、前記車両が減速状態であるときに前記内燃機関の要求トルクが前記所定のトルク領域に含まれる場合には、前記要求トルクを前記所定のトルク領域を下回る値に変更し、前記ロックアップクラッチが係合状態とされ、かつ前記機関トルクが前記所定のトルク領域に含まれることとなったとき、前記トルク勾配が前記基準トルク勾配未満である場合には、前記ロックアップクラッチを前記解放状態にするとともに、前記車両が加速状態であるときには、前記要求トルクを前記所定のトルク領域を上回る値に変更し、前記車両が減速状態であるときには、前記要求トルクを前記所定のトルク領域を下回る値に変更するよう前記内燃機関を制御するよう構成する。
【００１４】
所定のトルク領域とは、ダンパのばね定数の切り替りに起因した振動が発生するとされる特定の振動発生領域である。また、ロックアップクラッチの解放状態には、ロックアップクラッチが完全に非係合とされる完全解放状態に加えて、ロックアップクラッチが滑りを伴って半係合される、いわゆるスリップ状態が含まれる。
【００１５】
この構成により、本発明に係る車両用制御装置は、ロックアップクラッチの係合状態で機関トルクが所定のトルク領域に含まれることとなったとき、機関トルクのトルク勾配が基準トルク勾配以上である場合には、機関トルクが所定のトルク領域を速やかに跨いで所定のトルク領域外となるよう内燃機関を制御する。例えば、車両加速時であれば、所定のトルク領域を上回る機関トルクとなるよう内燃機関が制御される。一方、車両減速時であれば、所定のトルク領域を下回る機関トルクとなるよう内燃機関が制御される。
【００１６】
このため、ダンパのばね定数の切り替りに起因した振動が発生するとされる所定のトルク領域を比較的大きいトルク勾配で機関トルクが通過し、機関トルクが所定のトルク領域に留まることがない。したがって、所定のトルク領域すなわち特定の振動発生領域に留まることによる車両の振動を抑制することができる。
【００１７】
また、トルク勾配が大きい場合は、運転者によりアクセルペダルが素早く操作されたと判断でき、運転者の求める車両の加速状態、あるいは減速状態を発揮することが望まれる。この点、本発明に係る車両用制御装置は、従来のように所定のトルク領域に入らないよう機関トルクを制限することがないので、運転者が要求する車両の動力性能を確保することができる。
【００１８】
一方、ロックアップクラッチの係合状態で機関トルクが所定のトルク領域に含まれることとなったとき、トルク勾配が基準トルク勾配未満である場合には、ロックアップクラッチを解放状態にする。また、このとき、機関トルクが所定のトルク領域を跨いで所定のトルク領域外となるよう内燃機関を制御する。ロックアップクラッチを解放状態にすることにより、ダンパに入力される内燃機関のトルク変動を抑えることができる。これにより、トルク変動の周波数がダンパの共振周波数と一致することを抑制できる。したがって、機関トルクが比較的小さいトルク勾配で所定のトルク領域すなわち特定の振動発生領域を通過する際の車両の振動を抑制することができる。
【００１９】
また、トルク勾配が基準トルク勾配未満である場合は、例えば運転者によりアクセルペダルが微小操作されたり、あるいはゆっくりと大きく操作されたと判断でき、運転者の求める車両の加減速状態も緩慢であることが望まれる。この点、本発明に係る車両用制御装置では、ロックアップクラッチを解放状態にすることで車両の振動を抑制しているので、従来のように所定のトルク領域に入らないよう機関トルクを制限しなくとも運転者の求める緩慢な車両の加減速状態を確保することができる。
【００２１】
この構成により、本発明に係る車両用制御装置は、ダンパのばね定数の切り替りに起因した振動が発生するとされる所定のトルク領域を回避した機関トルクの制御を行うことができる。
【００２３】
この構成により、本発明に係る車両用制御装置は、車両の加速時に、機関トルクが所定のトルク領域を跨いで所定のトルク領域外となるよう内燃機関を制御することができる。
【００２５】
この構成により、本発明に係る車両用制御装置は、車両の減速時に、機関トルクが所定のトルク領域を跨いで所定のトルク領域外となるよう内燃機関を制御することができる。
【００２６】
上記（１）に記載の車両用制御装置においては、（２）前記ロックアップクラッチが係合状態とされ、かつ前記機関トルクが前記所定のトルク領域にあるときに前記トルク勾配の反転が生じた場合には、前記トルク勾配の反転中は前記ロックアップクラッチを解放状態とするよう構成する。
【００２７】
この構成により、本発明に係る車両用制御装置は、ロックアップクラッチの係合状態で機関トルクが所定のトルク領域にあるときにトルク勾配の反転が生じた場合には、トルク勾配の反転中はロックアップクラッチを解放状態とする。トルク勾配の反転時は、一時的にトルク勾配が平坦になり振動が増大するおそれがある。このため、トルク勾配の反転時は、ロックアップクラッチを解放状態にすることで振動を抑制することができる。
【発明の効果】
【００２８】
本発明によれば、特定の振動発生領域における車両の振動を抑制しつつ、運転者が要求する車両の動力性能を確保することができる車両用制御装置を提供することができる。
【図面の簡単な説明】
【００２９】
【図１】本発明の実施の形態に係る車両用制御装置を搭載した車両を示す概略図である。
【図２】本発明の実施の形態に係るダンパの捩り特性を示す図である。
【図３】本発明の実施の形態に係るＥＣＵの概略構成図である。
【図４】本発明の実施の形態に係る油圧制御装置の概略構成を示す回路図である。
【図５】本発明の実施の形態に係るＥＣＵの機能ブロック図である。
【図６】本発明の実施の形態に係るエンジン回転数およびエンジントルクの関係における振動発生領域を示す図である。
【図７】本発明の実施の形態に係るＥＣＵで実行される振動抑制ルーチンを示すフローチャートである。
【図８】エンジントルクと振動発生領域との関係を示すタイムチャートであって、（ａ）は、アクセル開度、（ｂ）は、従来のエンジントルク、（ｃ）は、本実施の形態のエンジントルク、（ｄ）は、スリップ量のタイムチャートである。
【発明を実施するための形態】
【００３０】
以下、本発明の実施の形態について、図面を参照しつつ説明する。
【００３１】
まず、構成について説明する。
【００３２】
本実施の形態においては、本発明に係る車両用制御装置を、例えばエンジンなどの内燃機関と変速機との間にロックアップクラッチ付きのトルクコンバータが搭載された車両に適用した場合について説明する。なお、本実施の形態では、変速機としてベルト式無段変速機（Ｃｏｎｔｉｎｕｏｕｓｌｙ  Ｖａｒｉａｂｌｅ  Ｔｒａｎｓｍｉｓｓｉｏｎ：以下、単にＣＶＴという）を採用した例について説明するが、変速機はベルト式無段変速機に限らず、多段の自動変速機であってもよい。
【００３３】
図１に示すように、本実施の形態に係る車両１は、内燃機関としてのエンジン２と、トルクコンバータ３と、前後進切替装置４と、変速機としてのＣＶＴ５と、減速ギヤ６と、ディファレンシャルギヤ７と、左右の駆動輪８Ｌ、８Ｒと、ＥＣＵ１００（図３参照）とを含んで構成されている。エンジン２から出力された動力は、トルクコンバータ３および前後進切替装置４を介してＣＶＴ５に入力される。ＣＶＴ５に入力された動力は、減速ギヤ６およびディファレンシャルギヤ７を介して左右の駆動輪８Ｌ、８Ｒに伝達されるようになっている。
【００３４】
エンジン２は、ガソリンあるいは軽油等の炭化水素系の燃料と空気との混合気を、図示しないシリンダの燃焼室内で燃焼させることによって動力を出力する公知の内燃機関である。エンジン２は、出力軸として、図示しないピストンに連結されたクランクシャフト２１を有する。
【００３５】
エンジン２は、燃焼室内で混合気の吸気、燃焼および排気を断続的に繰り返すことによりシリンダ内のピストンを往復移動させ、クランクシャフト２１を回転させるようになっている。エンジン２に用いられる燃料は、ガソリンや軽油等に限られず、エタノール等のアルコールを含むアルコール燃料であってもよい。クランクシャフト２１は、トルクコンバータ３に連結されるとともに、エンジン２で発生された動力をトルクコンバータ３に伝達するようになっている。
【００３６】
トルクコンバータ３は、エンジン２とＣＶＴ５との間に設けられており、ポンプインペラ３１と、タービンランナ３２と、タービンシャフト３３とを備えている。
【００３７】
ポンプインペラ３１は、クランクシャフト２１に連結されている。タービンランナ３２は、タービンシャフト３３を介して前後進切替装置４に連結されている。ここで、タービンシャフト３３は、前後進切替装置４を介してＣＶＴ５のプライマリシャフト５１に連結されている。
【００３８】
ポンプインペラ３１とタービンランナ３２とは、対向して設けられている。ポンプインペラ３１とタービンランナ３２との対向部には、それぞれ多数のブレードが備えられるとともに、流体であるオイルが充填されている。これにより、ポンプインペラ３１とタービンランナ３２との間では、オイルを介して動力伝達が行われるようになっている。すなわち、トルクコンバータ３は、オイルを介してクランクシャフト２１とタービンシャフト３３およびこれに連結されたプライマリシャフト５１との間で動力の伝達を行うようになっている。
【００３９】
ポンプインペラ３１には、機械式のオイルポンプ３４が連結されている。オイルポンプ３４は、ＣＶＴ５を変速制御したり、ベルト挟圧を発生させたり、各部に潤滑油を供給するための油圧を発生するものである。
【００４０】
また、トルクコンバータ３には、ロックアップクラッチ３５が設けられている。具体的には、ロックアップクラッチ３５は、ポンプインペラ３１とタービンランナ３２との間に設けられている。
【００４１】
ロックアップクラッチ３５は、クランクシャフト２１とタービンシャフト３３とを直結する係合状態と、同係合状態を解除する解放状態とを切り替え可能に構成されている。ロックアップクラッチ３５は、係合側油室および解放側油室に対する油圧供給が切り替えられることにより、係合状態または解放状態に切り替えられる。
【００４２】
ロックアップクラッチ３５が係合状態とされることにより、ポンプインペラ３１およびタービンランナ３２が一体的に回転させられる。これによりクランクシャフト２１とタービンシャフト３３とが直結する。
【００４３】
また、ロックアップクラッチ３５の解放状態には、ロックアップクラッチ３５が完全に非係合とされる完全解放状態に加えて、ロックアップクラッチ３５が滑りを伴って半係合される、いわゆるスリップ状態が含まれる。
【００４４】
さらに、ロックアップクラッチ３５とプライマリシャフト５１との間、詳細にはロックアップクラッチ３５とタービンシャフト３３との間には、ロックアップクラッチ３５とタービンシャフト３３およびプライマリシャフト５１との相対的な回転、すなわち捩れを許容するダンパ３６が設けられている。
【００４５】
ダンパ３６は、ロックアップクラッチ３５とタービンシャフト３３およびプライマリシャフト５１との間の捩れの角度、すなわちダンパ３６の捩れの角度（以下、単に捩れ角という）に応じて、ばね定数の切り替りが生ずるよう、例えば複数種類のコイルスプリング等の弾性部材を含む。ここで、本実施の形態に係る車両１では、ロックアップクラッチ３５が係合状態にあるとき、エンジン２の機関トルク、すなわちエンジントルクの変化に応じてロックアップクラッチ３５とタービンシャフト３３およびプライマリシャフト５１との間の捩れの角度が変化するようになっている。
【００４６】
したがって、ダンパ３６は、ロックアップクラッチ３５が係合状態である場合のエンジントルクに対応するダンパ３６の捩れ角に応じて、ばね定数が変化するよう構成されている。
【００４７】
具体的には、図２に示すように、ダンパ３６の捩れ角が「０」から「Ａ（Ａは正数）」までの範囲におけるばね定数は、「Ａ」以上の範囲におけるばね定数よりも小さくなるようにダンパ３６が構成される。すなわち、トルクコンバータ３に入力されるエンジントルクがＴｓより大きくなると、ダンパ３６の特性が変化するようになっている。
【００４８】
図１に示すように、前後進切替装置４は、ダブルピニオン型の遊星歯車装置によって構成されている。前後進切替装置４は、サンギヤ４１と、キャリヤ４２と、リングギヤ４３と、前進クラッチ４４と、後進ブレーキ４５とを備えている。
【００４９】
サンギヤ４１は、タービンシャフト３３に連結されている。キャリヤ４２は、ＣＶＴ５の入力軸であるプライマリシャフト５１に連結されている。キャリヤ４２とサンギヤ４１とは前進クラッチ４４を介して連結されている。リングギヤ４３は、後進ブレーキ４５を介してハウジングに固定されている。前進クラッチ４４および後進ブレーキ４５は、図示しない油圧シリンダにより摩擦係合させられるようになっている。前進クラッチ４４の入力回転数は、タービンシャフト３３の回転数すなわちタービン回転数ＮＴと同じである。
【００５０】
このように構成された前後進切替装置４は、前進クラッチ４４が係合させられ、かつ後進ブレーキ４５が解放されることにより、前進用係合状態となる。前進用係合状態では、前進方向の駆動力がＣＶＴ５に伝達される。
【００５１】
一方、前後進切替装置４は、後進ブレーキ４５が係合され、かつ前進クラッチ４４が解放されることにより、後進用係合状態となる。後進用係合状態では、タービンシャフト３３に対してプライマリシャフト５１が逆方向に回転させられる。これにより、後進方向の駆動力がＣＶＴ５に伝達される。
【００５２】
また、前後進切替装置４は、前進クラッチ４４および後進ブレーキ４５がともに解放されると、動力伝達を遮断するニュートラル状態となる。
【００５３】
ＣＶＴ５は、プライマリプーリ５２と、セカンダリプーリ５３と、伝動ベルト５４とを有している。プライマリプーリ５２は、プライマリシャフト５１に連結されている。セカンダリプーリ５３は、ＣＶＴ５の出力軸であるセカンダリシャフト５５に連結されている。伝動ベルト５４は、プライマリプーリ５２およびセカンダリプーリ５３に巻き掛けられている。ＣＶＴ５では、各プーリ５２、５３と伝動ベルト５４との間に生ずる摩擦力を利用して動力伝達が行われる。
【００５４】
プライマリプーリ５２およびセカンダリプーリ５３は、ともに油圧シリンダを備え、その溝幅が可変とされる。本実施の形態では、プライマリプーリ５２の油圧シリンダの油圧が制御されることで、各プーリ５２、５３の溝幅が変化するようになっている。これにより、伝動ベルト５４の巻き掛かり径が変更され、変速比ＧＲ（＝プライマリシャフト５１の回転数ＮＩＮ／セカンダリシャフト５５の回転数ＮＯＵＴ）を連続的に変化させることができる。つまり、ＣＶＴ５は、変速比を無段階に変化させることができる。
【００５５】
減速ギヤ６は、複数のギヤから構成され、ＣＶＴ５から出力された回転を減速してディファレンシャルギヤ７に伝達するようになっている。ディファレンシャルギヤ７は、減速ギヤ６から伝達された回転を左右の駆動輪８Ｌ、８Ｒに分配して出力するようになっている。
【００５６】
図３に示すように、ＥＣＵ１００は、例えばＣＰＵ、ＲＡＭ、ＲＯＭ、入出力インターフェース等を備えるマイクロコンピュータを含んで構成されており、ＣＰＵは、ＲＡＭの一時記憶機能を利用するとともにＲＯＭに予め記憶されたプログラムに従って信号処理を行うようになっている。ＲＯＭには、各種制御定数や各種マップ等が予め記憶されている。本実施の形態におけるＥＣＵ１００は、本発明に係る車両用制御装置を構成する。ＥＣＵ１００の詳細な構成については後述する。
【００５７】
ＥＣＵ１００には、エンジン回転数センサ１０１、タービン回転数センサ１０２、車速センサ１０３、スロットル開度センサ１０４、冷却水温センサ１０５、ＣＶＴ油温センサ１０６、アクセル開度センサ１０７、フットブレーキスイッチ１０８、ポジションセンサ１０９、プライマリ回転数センサ１１１およびセカンダリ回転数センサ１１２が接続されている。
【００５８】
エンジン回転数センサ１０１は、エンジン２の回転数（エンジン回転数）ＮＥを検出する。タービン回転数センサ１０２は、タービンシャフト３３の回転数（タービン回転数）ＮＴを検出する。車速センサ１０３は、車両１の車速Ｖを検出する。車速Ｖは、後述するセカンダリシャフト５５の回転数ＮＯＵＴと対応した値となる。
【００５９】
スロットル開度センサ１０４は、後述する電子スロットルバルブ２０１の開度θ（ＴＨ）を検出する。冷却水温センサ１０５は、エンジン２の冷却水温Ｔ（Ｗ）を検出する。ＣＶＴ油温センサ１０６は、ＣＶＴ５等の油温Ｔ（Ｃ）を検出する。
【００６０】
アクセル開度センサ１０７は、アクセルペダル１２０の開度ＡＣＣを検出する。フットブレーキスイッチ１０８は、フットブレーキ操作の有無を検出する。ポジションセンサ１０９は、シフトレバー１２１のポジションＰ（ＳＨ）を検出する。
【００６１】
プライマリ回転数センサ１１１は、プライマリシャフト５１の回転数ＮＩＮを検出する。セカンダリ回転数センサ１１２は、セカンダリシャフト５５の回転数ＮＯＵＴを検出する。これら各センサ類は、検出結果に応じた信号をＥＣＵ１００に送信するようになっている。
【００６２】
ここで、タービン回転数ＮＴは、前進クラッチ４４が係合された前進走行時にはプライマリプーリ回転数ＮＩＮと一致する。したがって、タービンシャフト３３は、プライマリシャフト５１と同様に取り扱うことができる。本実施の形態におけるタービンシャフト３３およびプライマリシャフト５１は、本発明に係る入力軸を構成する。
【００６３】
また、ＥＣＵ１００には、電子スロットルバルブ２０１、燃料噴射装置２０２、点火装置２０３および油圧制御回路３００が接続されている。ＥＣＵ１００は、電子スロットルバルブ２０１、燃料噴射装置２０２および点火装置２０３を制御することにより、エンジン２の出力制御を行うようになっている。また、ＥＣＵ１００は、油圧制御回路３００を介してＣＶＴ５の変速制御、ベルト挟圧制御、前進クラッチ４４および後進クラッチ４５の係合・解放制御、ロックアップクラッチ３５の係合・解放制御を行うようになっている。
【００６４】
次に、図４を参照して、ロックアップクラッチ３５の制御に関わる油圧制御回路３００の構成について説明する。
【００６５】
図４に示すように、油圧制御回路３００は、プライマリレギュレータバルブ３０１と、セカンダリレギュレータバルブ３０２と、ソレノイドモジュレータバルブ３０３と、ロックアップコントロールバルブ３０４とを含んで構成されている。
【００６６】
プライマリレギュレータバルブ３０１は、オイルポンプ３４で発生した油圧を調整してライン圧を生成する。セカンダリレギュレータバルブ３０２には、プライマリレギュレータバルブ３０１から流出（排出）した余分な作動油が流入する。セカンダリレギュレータバルブ３０２は、セカンダリ圧を生成する。
【００６７】
ソレノイドモジュレータバルブ３０３は、ライン圧を元圧としてソレノイドモジュレータ圧を生成する。ソレノイドモジュレータ圧は、デューティソレノイド３１０に供給される。
【００６８】
ロックアップコントロールバルブ３０４は、セカンダリ圧の供給先を、トルクコンバータ３の係合側油室と解放側油室との間で選択的に切り替える。係合側油室は、ロックアップクラッチ３５に対してポンプインペラ３１側に画成されている。解放側油室は、ロックアップクラッチ３５とコンバータカバー３７とにより画成されている。
【００６９】
ロックアップコントロールバルブ３０４は、デューティソレノイド３１０から供給される油圧をパイロット圧として作動する。デューティソレノイド３１０からロックアップコントロールバルブ３０４に対して油圧が供給されていない場合、ロックアップコントロールバルブ３０４のスプールは、図中、（１）に示す状態（左側の状態）となる。
【００７０】
この場合、セカンダリ圧がトルクコンバータ３の解放側油室に供給され、トルクコンバータ３の係合側油室の油圧が図示しないオイルクーラに供給される。このため、ロックアップクラッチ３５がコンバータカバー３７から引き離され、ロックアップクラッチ３５が解放状態となる。
【００７１】
一方、デューティソレノイド３１０からロックアップコントロールバルブ３０４に対して油圧が供給されている場合、ロックアップコントロールバルブ３０４のスプールは、図中、（２）に示す状態（右側の状態）となる。
【００７２】
この場合、セカンダリ圧が、トルクコンバータ３の係合側油室に供給され、トルクコンバータ３の解放側油室から油圧がドレンされる。このため、ロックアップクラッチ３５がコンバータカバー３７側に押し付けられ、ロックアップクラッチ３５が係合状態となる。
【００７３】
ロックアップクラッチ３５の係合力は、デューティソレノイド３１０からロックアップコントロールバルブ３０４に供給される油圧に応じた値になる。デューティソレノイド３１０は、ＥＣＵ１００から送信される指示デューティ値に応じた圧力を出力する。このため、デューティソレノイド３１０に対する指示デューティ値により、ロックアップクラッチ３５の係合力が制御される。したがって、例えばロックアップクラッチ３５の係合力が最大となるときを係合状態とすると、このときのロックアップクラッチ３５の係合力に対して、同係合力を低下させることによりロックアップクラッチ３５のスリップ状態に制御することができる。なお、ロックアップクラッチ３５の係合力を制御する方法はこれに限らない。
【００７４】
次に、図５を参照して、本実施の形態に係るＥＣＵ１００の機能について説明する。
【００７５】
図５に示すように、ＥＣＵ１００は、ロックアップクラッチ制御部１００ａと、エンジン制御部１００ｂとを含んで構成されている。
【００７６】
ロックアップクラッチ制御部１００ａは、係合状態、スリップ状態および完全解放状態を切り替えるようロックアップクラッチ３５を制御する。特に、ロックアップクラッチ制御部１００ａは、ロックアップクラッチ３５の係合力を制御することによりスリップ状態におけるロックアップクラッチ３５のスリップ量を調節することができる。
【００７７】
エンジン制御部１００ｂは、車速Ｖおよびアクセル開度ＡＣＣに基づいて運転者が必要とする目標エンジン出力を求める。次いで、エンジン制御部１００ｂは、目標エンジン出力を最適燃費で達成することのできる要求トルクおよび要求エンジン回転数を算出する。ＥＣＵ１００には、この目標エンジン出力を最適燃費で達成することのできる要求トルクおよび要求エンジン回転数を求めるために、最適燃費線を表すマップ（図示せず）が記憶されている。
【００７８】
エンジン制御部１００ｂは、実際のエンジントルクおよびエンジン回転数が算出した要求トルクおよび要求エンジン回転数となるように、電子スロットルバルブ２０１、燃料噴射装置２０２および点火装置２０３（図３参照）を制御する。
【００７９】
ところで、ロックアップクラッチ３５を係合状態にして車両１が走行しているときにエンジントルクが予め定められた所定のトルク領域に含まれることとなった場合には、振動が発生することがある。以下、このような振動が生ずる所定のトルク領域を振動発生領域ということとする。
【００８０】
図６に示すように、振動発生領域Ｂは、特定のエンジン回転数および特定のエンジントルクの範囲である。具体的には、振動発生領域Ｂは、ダンパ３６のばね定数が切り替わる領域付近のエンジントルクの範囲に限定されており、比較的高負荷なエンジントルクの範囲とされる。つまり、振動発生領域Ｂは、ダンパ３６のばね定数が切り替わるエンジントルクＴｓを含む比較的高負荷なトルク領域である。この振動発生領域Ｂは、ダンパ３６に用いられる弾性部材のバラつき等を考慮して振動が発生し得る領域として、予め実験的に求めてＥＣＵ１００に記憶されている。
【００８１】
また、この比較的高負荷なトルク領域内のエンジントルクを出力し得るエンジン回転数は限られており、比較的低回転なエンジン回転数の範囲とされる。このように、振動発生領域Ｂは、特に低回転・高負荷領域に存在することとなる。
【００８２】
振動の要因としては、例えば実際のエンジントルクが振動発生領域Ｂに停滞することで頻繁にダンパ３６のばね定数が切り替わることによって駆動輪８Ｌ、８Ｒに伝達されるトルクが増減することや、エンジン２のトルク変動の周波数がダンパ３６の共振周波数と一致すること等が挙げられる。
【００８３】
また、図６において、実線で示すエンジントルクは、エンジン２が発生可能な最大のエンジントルクである。
【００８４】
本実施の形態では、上記のような振動発生領域Ｂにおける振動を抑制する目的で、ＥＣＵ１００によって以下の制御を行うようにした。
【００８５】
すなわち、ＥＣＵ１００は、ロックアップクラッチ３５が係合状態とされ、かつエンジントルクが振動発生領域Ｂに含まれることとなったとき、トルク勾配が予め定められた基準トルク勾配以上である場合には、エンジントルクが振動発生領域Ｂを速やかに跨いで振動発生領域外となるようエンジン２を制御するようになっている。
【００８６】
また、ＥＣＵ１００は、ロックアップクラッチ３５が係合状態とされ、かつエンジントルクが振動発生領域Ｂに含まれることとなったとき、トルク勾配が基準トルク勾配未満である場合には、ロックアップクラッチ３５をスリップ状態にするとともに、トルク勾配を基準トルク勾配未満に維持しつつエンジントルクが振動発生領域Ｂを跨いで振動発生領域外となるようエンジン２を制御するようになっている。
【００８７】
実際には、ＥＣＵ１００は、エンジン２の要求トルクを以下のように制御することでエンジントルクを上述のように制御することができる。
【００８８】
つまり、ＥＣＵ１００は、ロックアップクラッチ３５が係合状態とされ、かつ車両１が加速状態であるときに振動発生領域内のエンジントルクが要求トルクとして要求された場合には、要求トルクを振動発生領域Ｂを上回る値（エンジントルク）に変更するようになっている。一方、ＥＣＵ１００は、ロックアップクラッチ３５が係合状態とされ、かつ車両１が減速状態であるときに振動発生領域内のエンジントルクが要求トルクとして要求された場合には、要求トルクを振動発生領域Ｂを下回る値（エンジントルク）に変更するようになっている。これにより、実際のエンジントルクが振動発生領域Ｂを跨いで振動発生領域外となる。
【００８９】
また、ＥＣＵ１００は、上述のようにロックアップクラッチ３５をスリップ状態にするか否かの判断を、要求トルク勾配が予め定められた基準要求トルク勾配以上であるか否かにより行うようになっている。
【００９０】
ここで、トルク勾配とは、エンジントルクの単位時間当たりの変化量を示すものである。例えば、運転者によりアクセルペダル１２０が素早く操作された場合には、このトルク勾配が大きくなる。一方で、アクセルペダル１２０が微小操作されたり、あるいはゆっくりと大きく操作された場合には、このトルク勾配は小さくなる。また、トルク勾配は、車両１が加速している場合には正の値となる一方で、車両１が減速している場合には負の値となる。したがって、本実施の形態では、トルク勾配は、減速時を考慮してその絶対値を用いることとした。要求トルク勾配についても同様である。
【００９１】
また、基準トルク勾配とは、エンジントルクが振動発生領域Ｂを通過する際の通過時間に応じて振動が運転者に顕著に体感されるか、それほど体感されないかの基準となる勾配である。例えば、トルク勾配が基準トルク勾配以上である場合は、エンジントルクが振動発生領域Ｂを速やかに通過するので振動が運転者にそれほど体感されない。対照的に、トルク勾配が基準トルク勾配未満である場合は、エンジントルクが振動発生領域Ｂに滞在する時間が、トルク勾配が大きい場合と比較して長くなるので振動が運転に体感され易い。基準要求トルク勾配についても同様である。
【００９２】
ロックアップクラッチ３５が係合状態であるか否かは、例えばエンジン回転数ＮＥとタービン回転数ＮＴとの差が予め定められたしきい値以下であるかにより判断することができる。なお、ロックアップクラッチ３５が係合状態であるか否かの判断方法は、これに限られない。
【００９３】
また、エンジントルクが振動発生領域Ｂに含まれるか否かは、振動発生領域内のエンジントルクが要求トルクとして要求されたか否かによって判断することができる。なお、エンジントルクが振動発生領域Ｂに含まれるか否かの判断方法は、これに限られない。
【００９４】
次に、図７を参照して、ＥＣＵ１００で実行される振動抑制ルーチンについて説明する。この振動抑制ルーチンは、所定の時間隔で繰り返し実行される。
【００９５】
まず、ＥＣＵ１００は、ロックアップクラッチ３５が係合状態か否かを判定する（ステップＳ１）。ＥＣＵ１００は、ロックアップクラッチ３５が係合状態でないと判定した場合（ステップＳ１；ＮＯ）には、本ルーチンを終了する。
【００９６】
一方、ＥＣＵ１００は、ロックアップクラッチ３５が係合状態であると判定した場合（ステップＳ１；ＹＥＳ）には、エンジン２の要求トルク（以下、単に要求トルクＴｒという）が振動発生領域内となっているか否かを判定する（ステップＳ２）。具体的には、ＥＣＵ１００は、振動発生領域Ｂに含まれるエンジントルクが要求トルクＴｒとして、車速Ｖとアクセル開度ＡＣＣとに基づき要求されたか否かを判定する。ＥＣＵ１００は、要求トルクＴｒが振動発生領域内となっていない場合（ステップＳ２；ＮＯ）には、本ルーチンを終了する。
【００９７】
ＥＣＵ１００は、エンジン２の要求トルクが振動発生領域内となっていると判定した場合（ステップＳ２；ＹＥＳ）には、振動発生領域内での要求トルク勾配ΔＴｒが基準要求トルク勾配ΔＴｒｂ以上であるか否かを判定する（ステップＳ３）。ここで、車両１が減速している場合には、要求トルク勾配ΔＴｒは負の値となる。したがって、本実施の形態では、減速時を考慮して要求トルク勾配ΔＴｒの絶対値を基準に本ステップの判定を行うことが好ましい。
【００９８】
ＥＣＵ１００は、振動発生領域内での要求トルク勾配ΔＴｒが基準要求トルク勾配ΔＴｒｂ以上であると判定した場合（ステップＳ３；ＹＥＳ）には、車両１の走行状態が加速状態か否かを判定する（ステップＳ４）。車両１の走行状態が加速状態か否かは、例えば車速Ｖやアクセル開度ＡＣＣの変化に基づいて判断することができる。
【００９９】
ＥＣＵ１００は、車両１の走行状態が加速状態であると判定した場合（ステップＳ４；ＹＥＳ）には、要求トルクＴｒを振動発生領域Ｂを上回る値に変更して（ステップＳ５）、本ルーチンを終了する。これにより、実際のエンジントルクが振動発生領域Ｂを速やかに跨いで振動発生領域を上回ることとなる。
【０１００】
また、このとき、ＥＣＵ１００は、エンジントルクが基準トルク勾配以上で振動発生領域Ｂを通過するように、要求トルク勾配ΔＴｒを基準要求トルク勾配ΔＴｒｂ以上に維持する。これにより、エンジントルクが振動発生領域Ｂを通過する際の振動が抑制される。
【０１０１】
一方、ＥＣＵ１００は、車両１の走行状態が加速状態でない、つまり減速状態であると判定した場合（ステップＳ４；ＮＯ）には、要求トルクＴｒを振動発生領域Ｂを下回る値に変更して（ステップＳ５）、本ルーチンを終了する。これにより、実際のエンジントルクが振動発生領域Ｂを速やかに跨いで振動発生領域を下回ることとなる。
【０１０２】
また、このとき、ＥＣＵ１００は、エンジントルクが基準トルク勾配以上で振動発生領域Ｂを通過するように、要求トルク勾配ΔＴｒを基準要求トルク勾配ΔＴｒｂ以上に維持する。これにより、エンジントルクが振動発生領域Ｂを通過する際の振動が抑制される。
【０１０３】
他方、ＥＣＵ１００は、ステップＳ３において振動発生領域内での要求トルク勾配ΔＴｒが基準要求トルク勾配ΔＴｒｂ以上でない、つまり同要求トルク勾配ΔＴｒが基準要求トルク勾配ΔＴｒｂ未満である場合（ステップＳ３；ＮＯ）には、車両１の走行状態が加速状態か否かを判定する（ステップＳ７）。
【０１０４】
ＥＣＵ１００は、車両１の走行状態が加速状態であると判定した場合（ステップＳ７；ＹＥＳ）には、ロックアップクラッチ３５をスリップ状態にするとともに、要求トルクＴｒを振動発生領域Ｂを上回る値に変更して（ステップＳ８）、ステップＳ１０に移行する。これにより、実際のエンジントルクが振動発生領域Ｂを跨いで振動発生領域を上回ることとなる。また、ロックアップクラッチ３５をスリップ状態にすることにより、エンジン２からダンパ３６に入力されるトルク変動が抑制される。これにより、エンジン２のトルク変動の周波数とダンパ３６の共振周波数とが一致することが抑制され、振動発生領域Ｂにおける振動が抑制される。
【０１０５】
また、このとき、ＥＣＵ１００は、エンジントルクが基準トルク勾配未満で振動発生領域Ｂを通過するように、要求トルク勾配ΔＴｒを基準要求トルク勾配ΔＴｒｂ未満に維持する。
【０１０６】
一方、ＥＣＵ１００は、車両１の走行状態が加速状態でない、つまり減速状態であると判定した場合（ステップＳ７；ＮＯ）には、ロックアップクラッチ３５をスリップ状態にするとともに、要求トルクＴｒを振動発生領域Ｂを下回る値に変更して（ステップＳ９）、ステップＳ１０に移行する。これにより、実際のエンジントルクが振動発生領域Ｂを跨いで振動発生領域を下回ることとなる。
【０１０７】
また、このとき、ＥＣＵ１００は、エンジントルクが基準トルク勾配未満で振動発生領域Ｂを通過するように、要求トルク勾配ΔＴｒを基準要求トルク勾配ΔＴｒｂ未満に維持する。
【０１０８】
次いで、ＥＣＵ１００は、ステップＳ１０において実際のエンジントルクが振動発生領域外となったか否かを判定する。ＥＣＵ１００は、実際のエンジントルクが振動発生領域外となっていない場合（ステップＳ１０；ＮＯ）には、本ステップを繰り返し実行する。
【０１０９】
一方、ＥＣＵ１００は、実際のエンジントルクが振動発生領域外となったと判定した場合（ステップＳ１０；ＹＥＳ）には、ロックアップクラッチ３５をスリップ状態から係合状態にして（ステップＳ１１）、本ルーチンを終了する。
【０１１０】
次に、図８（ａ）〜図８（ｄ）を参照して、本実施の形態に係る振動発生領域Ｂとエンジントルクとの関係を従来と比較して説明する。図８（ａ）〜図８（ｄ）に示す例では、車両１が走行中で、かつロックアップクラッチ３５が係合状態であることを前提に説明する。図８（ｂ）および図８（ｃ）における破線は、エンジン２の要求トルクＴｒを示し、実線は、実際のエンジントルクを示す。
【０１１１】
図８（ａ）に示すように、運転者によりアクセルペダル１２０が素早く踏み込まれると、エンジン２の要求トルクＴｒが図８（ｂ）および図８（ｃ）に示すように振動発生領域内となることがある（時刻ｔ１〜ｔ２区間）。
【０１１２】
このとき、図８（ｂ）に示すように、従来は要求トルクＴｒを変更しないので、要求トルクＴｒは、以降、振動発生領域内を推移することなる。したがって、これに対応する実際のエンジントルクも、以降、振動発生領域内を推移することになる。これにより、振動が発生していた。
【０１１３】
これに対して、本実施の形態では、図８（ｃ）に示すように、振動抑制ルーチンにより要求トルクＴｒが振動発生領域Ｂを上回る値に変更されているので、要求トルクＴｒは振動発生領域Ｂに留まることなく高トルク側に通過する（時刻ｔ１〜ｔ２区間）。これにより、要求トルクＴｒに応じた実際のエンジントルクも振動発生領域Ｂに留まることなく高トルク側に通過する。このとき、振動発生領域内における要求トルク勾配ΔＴｒが基準要求トルク勾配ΔＴｒｂ以上であるので、ロックアップクラッチ３５は係合状態に維持される（図８（ｄ）参照）。
【０１１４】
その後、運転者によりアクセルペダル１２０の踏み込みが素早く解除され、車両１が減速状態に移行する場合にも要求トルクＴｒが振動発生領域内となることがある。本実施の形態では、このような場合であっても振動抑制ルーチンにより要求トルクＴｒが振動発生領域Ｂを下回る値に変更されているので、要求トルクＴｒは振動発生領域Ｂに留まることなく低トルク側に通過する（時刻ｔ３〜ｔ４区間）。これにより、要求トルクＴｒに応じた実際のエンジントルクも振動発生領域Ｂに留まることなく低トルク側に通過する。このとき、振動発生領域内における要求トルク勾配ΔＴｒが基準要求トルク勾配ΔＴｒｂ以上であるので、加速時と同様、ロックアップクラッチ３５は係合状態に維持される（図８（ｄ）参照）。
【０１１５】
次いで、運転者によりアクセルペダル１２０が微小操作、例えば僅かにゆっくりと踏み込まれると、要求トルクＴｒが振動発生領域内となる（時刻ｔ５〜ｔ６区間）。このとき、振動発生領域内における要求トルク勾配ΔＴｒが基準要求トルク勾配ΔＴｒｂ未満であるので、ロックアップクラッチ３５がスリップ状態とされる（図８（ｄ）参照）。
【０１１６】
その後は、例えば運転者によりアクセルペダル１２０の踏み込みが解除され、実際のエンジントルクが振動発生領域外となると、ロックアップクラッチ３５のスリップ状態が解除される（時刻ｔ７）。すなわち、ロックアップクラッチ３５が係合状態に戻される。
【０１１７】
以上のように、本実施の形態に係る車両用制御装置によれば、ロックアップクラッチ３５の係合状態でエンジントルクが振動発生領域Ｂに含まれることとなったとき、エンジントルクのトルク勾配が基準トルク勾配以上である場合には、エンジントルクが振動発生領域Ｂを速やかに跨いで振動発生領域外となるようエンジン２を制御する。例えば、加速時であれば、振動発生領域Ｂを上回るエンジントルクとなるようエンジン２が制御される。一方、減速時であれば、振動発生領域Ｂを下回るエンジントルクとなるようエンジン２が制御される。
【０１１８】
このため、ダンパ３６のばね定数の切り替りに起因した振動が発生するとされる振動発生領域Ｂを比較的大きいトルク勾配でエンジントルクが通過し、エンジントルクが振動発生領域Ｂに留まることがない。したがって、振動発生領域Ｂに留まることによる車両１の振動を抑制することができる。
【０１１９】
また、トルク勾配が大きい場合は、運転者によりアクセルペダル１２０が素早く操作されたと判断でき、運転者の求める車両１の加速状態、あるいは減速状態を発揮することが望まれる。この点、本実施の形態に係る車両用制御装置は、従来のように振動発生領域Ｂに入らないようエンジントルクを制限することがないので、運転者が要求する車両１の動力性能を確保することができる。
【０１２０】
一方、ロックアップクラッチ３５の係合状態でエンジントルクが振動発生領域Ｂに含まれることとなったとき、トルク勾配が基準トルク勾配未満である場合には、ロックアップクラッチ３５をスリップ状態にする。また、このとき、トルク勾配を基準トルク勾配未満に維持しつつ、エンジントルクが振動発生領域Ｂを跨いで振動発生領域外となるようエンジン２を制御する。ロックアップクラッチ３５をスリップ状態にすることにより、ダンパ３６に入力されるエンジン２のトルク変動を抑えることができる。これにより、トルク変動の周波数がダンパ３６の共振周波数と一致することが抑制される。したがって、エンジントルクが比較的小さいトルク勾配で振動発生領域Ｂを通過する際の車両１の振動を抑制することができる。
【０１２１】
また、トルク勾配が基準トルク勾配未満である場合は、例えば運転者によりアクセルペダル１２０が微小操作されたり、あるいはゆっくりと大きく操作されたと判断でき、運転者の求める車両１の加減速状態も緩慢であることが望まれる。この点、本実施の形態に係る車両用制御装置では、ロックアップクラッチ３５をスリップ状態にすることで車両１の振動を抑制しているので、従来のように振動発生領域Ｂに入らないようエンジントルクを制限しなくとも運転者の求める緩慢な車両１の加減速状態を確保することができる。
【０１２２】
また、本実施の形態に係る車両用制御装置において、振動発生領域Ｂはダンパ３６のばね定数の切り替りが生ずるエンジントルクＴｓを含むトルク領域である。したがって、ダンパ３６のばね定数の切り替りに起因した振動が発生するとされる振動発生領域Ｂを回避したエンジントルクの制御を行うことができる。
【０１２３】
なお、本実施の形態においては、トルク勾配が基準トルク勾配未満である場合にロックアップクラッチ３５をスリップ状態にするようにしたが、これに加えて、以下の場合にもロックアップクラッチ３５をスリップ状態にするのが好ましい。
【０１２４】
すなわち、ロックアップクラッチ３５が係合状態とされ、かつエンジントルクが振動発生領域Ｂにあるときにトルク勾配の反転が生じた場合には、トルク勾配の反転中はロックアップクラッチ３５をスリップ状態とする。トルク勾配の反転時は、一時的にトルク勾配が平坦になり振動が増大するおそれがある。このため、トルク勾配の反転時は、ロックアップクラッチ３５をスリップ状態にすることで振動を抑制することができる。
【０１２５】
また、本実施の形態に係る振動抑制ルーチンでは、図７におけるステップＳ２において要求トルクＴｒが振動発生領域内か否かを判断するようにしたが、これに代えて要求エンジン回転数が振動発生領域Ｂのエンジントルクを出力し得るエンジン回転数の範囲内か否かを判断するようにしてもよい。
【０１２６】
以上のように、本発明に係る車両用制御装置は、特定の振動発生領域における車両の振動を抑制しつつ、運転者が要求する車両の動力性能を確保することができるという効果を奏するものであり、振動抑制用のダンパを有するロックアップクラッチを搭載した車両に用いられる車両用制御装置に有用である。
【符号の説明】
【０１２７】
１  車両
２  エンジン（内燃機関）
３  トルクコンバータ
５  ＣＶＴ（変速機）
２１  クランクシャフト（出力軸）
３３  タービンシャフト（入力軸）
３５  ロックアップクラッチ
３６  ダンパ
５１  プライマリシャフト（入力軸）
１００  ＥＣＵ（車両用制御装置）
１００ａ  ロックアップクラッチ制御部
１００ｂ  エンジン制御部
【図１】
0005803747.tif 000002
【図２】
0005803747.tif 000003
【図３】
0005803747.tif 000004
【図４】
0005803747.tif 000005
【図５】
0005803747.tif 000006
【図６】
0005803747.tif 000007
【図７】
0005803747.tif 000008
【図８】
0005803747.tif 000009